(57)【要約】【課題】可変動弁機構及び過給機を備える内燃機関において、掃気によって充填効率を高めて機関出力を増大させ、かつ、掃気ガスが増えることによる排気触媒の転換効率の低下を防止する。【解決手段】吸気側又は排気側の少なくとも一方に可変動弁機構１４を備えるターボ式過給機５付き内燃機関１の制御装置１２において、バルブオーバーラップ期間中に吸気通路２から筒内を通過して排気通路３へと吹き抜ける掃気量の、内燃機関１に対する性能要求を満足させるための上限値を定める掃気量設定手段１２と、掃気量に応じてバルブオーバーラップ期間の長さを制御する可変動弁制御手段１２とを備える。【選択図】図８
2012163047.tif 000002
【特許請求の範囲】
【請求項１】
吸気側又は排気側の少なくとも一方に可変動弁機構を備えるターボ式過給機付き内燃機関の制御装置において、
前記内燃機関に対する性能要求を検知する性能要求検知手段と、
バルブオーバーラップ期間中に吸気通路から筒内を通過して排気通路へと吹き抜ける掃気量の、前記性能要求を満足させるための上限値を定める掃気量設定手段と、
前記掃気量の上限値に応じてバルブオーバーラップ期間の長さを制御する可変動弁制御手段と、
を備えることを特徴とするターボ式過給機付き内燃機関の制御装置。
【請求項２】
排気通路中に設けた排気触媒の温度を推定する手段をさらに備え、
前記掃気量設定手段は、前記排気触媒の推定温度に基づいて前記掃気量の上限値を制限する請求項１に記載のターボ式過給機付き内燃機関の制御装置。
【請求項３】
内燃機関から排気通路へ排出されるＮＯｘ排出量を推定する手段をさらに備え、
前記掃気量設定手段は、前記ＮＯｘ排出量の推定値に基づいて前記掃気量の上限値を制限する請求項１または２に記載のターボ式過給機付き内燃機関の制御装置。
【請求項４】
前記掃気量設定手段は、前記内燃機関の運転状態及び前記内燃機関がおかれた環境に基づいて前記掃気量の上限値を設定する請求項１から３のいずれか一つに記載のターボ式過給機付き内燃機関の制御装置。
【請求項５】
前記内燃機関の運転状態を検出する運転状態検出手段と、
筒内の目標空燃比を設定する目標空燃比設定手段と、
をさらに備え、
前記掃気量設定手段は、前記運転状態に基づいて推定する掃気未実行の状態と、前記目標空燃比に基づいて推定する掃気実行後の状態と、に基づいて前記掃気量の上限値を設定する請求項１から４のいずれか一つに記載のターボ式過給機付き内燃機関の制御装置。
【請求項６】
前記内燃機関の所定時間経過後の運転状態を推定する運転状態推定手段をさらに備え、
前記掃気量設定手段は、運転状態推定値に基づいて推定する所定時間経過後の掃気未実行の状態と、前記目標空燃比に基づいて推定する掃気実行後の状態と、に基づいて前記掃気量の上限値を設定する請求項５に記載のターボ式過給機付き内燃機関の制御装置。
【請求項７】
前記内燃機関に対するトルク要求の増加速度が予め設定した閾値を超えた場合は、前記掃気量設定手段は、前記掃気量を増大させる請求項１から６のいずれか一つに記載のターボ式過給機付き内燃機関の制御装置。
【請求項８】
前記内燃機関に対するトルク要求の増加速度が予め設定した閾値を超えた場合は、前記掃気量設定手段は、一定期間だけ前記掃気量の上限値を緩和する請求項１から７のいずれか一つに記載のターボ式過給機付き内燃機関の制御装置。
【請求項９】
前記掃気量設定手段は、複数の条件に基づいて複数の掃気量上限値を算出した場合には、最も小さい掃気量上限値を選択する請求項１から８のいずれか一つに記載のターボ式過給機付き内燃機関の制御装置。
【発明の詳細な説明】
【技術分野】
【０００１】
本発明は、可変動弁機構及びターボ過給機を備える内燃機関の制御に関する。
【背景技術】
【０００２】
可変動弁機構を制御してバルブオーバーラップ期間を設け、このバルブオーバーラップ期間中に、吸気圧と排気圧の差圧を利用して、筒内残留ガスを排気通路へ掃気することで筒内の新気量を増加させる技術が知られている。
【０００３】
例えば、特許文献１では、バルブオーバーラップ期間中に吸気圧が排気圧より高くなるようにスロットルバルブ開度を制御し、掃気効果を得る技術が開示されている。
【先行技術文献】
【特許文献】
【０００４】
【特許文献１】特開２００６−２８３６３６号公報
【発明の概要】
【発明が解決しようとする課題】
【０００５】
ところで、バルブオーバーラップ期間中の掃気量は、同じバルブオーバーラップ期間長さであっても、内燃機関の運転状態や運転する環境によって異なる。特に、ターボ式過給機を備える場合には、過給機の回転速度が一定となった定常状態と、回転速度が上昇する過渡状態とでは排気圧が異なるため、エンジン回転速度や負荷等の運転状態が同一で、かつ同一オーバーラップ期間長さでも掃気量が異なる。
【０００６】
したがって、特許文献１のようにバルブオーバーラップ期間をエンジン回転速度及び負荷に割りつけたマップを検索することでバルブオーバーラップ期間を制御すると、必ずしもその運転状態や運転環境に適した掃気量が得られるとは限らない。
【０００７】
そこで、本発明では、ターボ式過給機付き内燃機関においても、運転状態や運転環境に適した掃気量が得られるようにすることを目的とする。
【課題を解決するための手段】
【０００８】
本発明に係る制御装置は、吸気側又は排気側の少なくとも一方に可変動弁機構を備えるターボ式過給機付き内燃機関の制御装置である。そして、内燃機関に対する性能要求を検知する性能要求検知手段と、バルブオーバーラップ期間中に吸気通路から筒内を通過して排気通路へと吹き抜ける掃気量の、性能要求を満足させるための上限値を定める掃気量設定手段と、掃気量の上限値に応じてバルブオーバーラップ期間の長さを制御する可変動弁制御手段と、を備える。
【発明の効果】
【０００９】
本発明によれば、性能要求を満足するための掃気量を設定し、これに応じてバルブオーバーラップ期間を制御するので、ターボ式過給機付き内燃機関の場合であっても、性能要求を満足するだけの掃気量が得られる。
【図面の簡単な説明】
【００１０】
【図１】本実施形態を適用するシステムの構成図である。
【図２】直列４気筒内燃機関の行程順序を示す図である。
【図３】コントロールユニットが実行する、燃料噴射量を設定するための演算内容を示すブロック図である。
【図４】コントロールユニットが実行する、バルブオーバーラップ期間を低減するか否かを判断するための制御のブロック図である。
【図５】コントロールユニットが実行する、掃気率を求めるための演算内容を示すブロック図である。
【図６】コントロールユニットが実行する、排気圧力を求めるための演算内容を示すブロック図である。
【図７】コントロールユニットが実行する、過渡排気圧力変動を求めるための演算内容を示すブロック図である。
【図８】コントロールユニットが実行する、可変動弁機構の変換角を決定するための演算内容を示すブロック図である。
【図９】コントロールユニットが実行する、触媒温度に基づく掃気量上限値算出のためのブロック図である。
【図１０】コントロールユニットが実行する、ＮＯｘ排出量に基づく掃気量上限値算出のためのブロック図である。
【図１１】コントロールユニットが実行する、トルク急変時の掃気量上限値算出のためのブロック図である。
【発明を実施するための形態】
【００１１】
以下本発明の実施形態を図面に基づいて説明する。
（第１実施形態）
図１は本実施形態を適用する内燃機関のシステム構成図である。
【００１２】
内燃機関１の吸気マニホールド２の入口には、内燃機関１に流入する空気量を調整するためのスロットルチャンバ４が設けられ、その上流には吸気通路６が接続されている。吸気通路６のスロットルチャンバ４より上流側には、過給機５のコンプレッサ５ａが設置され、更にその上流には、吸入空気量を検出するエアフローメータ８が設置されている。
【００１３】
内燃機関１の各シリンダには燃料をシリンダ内に直接噴射する燃料噴射弁１５が配置されている。排気通路７には、過給機５のタービン５ｂが設置されている。
【００１４】
過給機５は、いわゆるターボ式過給機であり、コンプレッサ５ａとタービン５ｂがシャフト５ｃを介して接続されている。このため、タービン５ｂが内燃機関１の排気エネルギにより回転すると、コンプレッサ５ａも回転し、吸入空気を下流側に圧送する。
【００１５】
タービン５ｂの下流側には、排気浄化用の排気触媒１８が配置される。排気触媒１８としては、三元触媒等が用いられる。
【００１６】
リサーキュレーション通路１０は、吸気通路６ａと、エアフローメータ８より下流側かつコンプレッサ５ａより上流側の吸気通路（以下、吸気通路６ｂという）とを接続する通路であり、途中に設けたリサーキュレーションバルブ９が開弁すると両吸気通路６ａ、６ｂが連通し、閉弁すると連通が遮断される。
【００１７】
リサーキュレーションバルブ９は、一般に知られているものと同様に、過給圧と吸気マニホールド２内の圧力（以下、吸気管圧という）との差圧が所定値以上になったときに開弁する。例えば、内部に備える弁体に対して、内蔵するスプリングの反力が閉弁方向に付勢されており、さらに、弁体の開弁方向に過給圧が作用し、閉弁方向には吸気管圧が作用しており、過給圧と吸気管圧との差圧がスプリングの反力を超えた場合に開弁する。これにより、過給状態で走行中にスロットルチャンバ４が全閉となった場合に、過給圧の過上昇を防止することができる。なお、リサーキュレーションバルブ９が開弁するときの過給圧と吸気管圧との差圧は、スプリングのバネ定数により任意の値に設定することができる。
【００１８】
可変動弁機構１４は、排気弁と吸気弁のいずれもが開弁したオーバーラップ期間が生ずるように、吸気弁閉時期（ＩＶＣ）を変化させるものであれば足りる。例えば、クランクシャフトに対する吸気カムシャフトの回転位相を変化させるものや、吸気バルブの作動角を変化させるもの等、一般的に知られている可変動弁機構を用いることができる。なお、排気弁側にも同様の可変動弁機構１４を設けて、吸気弁及び排気弁のバルブタイミングを可変制御するようにしてもよい。
【００１９】
コントロールユニット１２は、エアフローメータ８で検出する吸入空気量、アクセル開度センサ１３で検出するアクセル開度、その他図示しないクランク角センサで検出するエンジン回転速度等といった運転状態に関するパラメータを読み込み、これらに基づいて点火時期、バルブタイミング、空燃比等の制御を行う。
【００２０】
次に、コントロールユニット１２が行うバルブタイミング制御及び空燃比制御について説明する。
【００２１】
コントロールユニット１２は、吸気マニホールド２内の圧力が排気マニホールド３内の圧力より高い場合には、吸気弁及び排気弁が開弁しているバルブオーバーラップ期間が生ずるバルブタイミングとなるように可変動弁機構１４を作動させる。
【００２２】
これは、バルブオーバーラップ期間中に、吸気マニホールド２から流入した新気が掃気ガスとしてそのまま排気マニホールド３へ吹き抜ける、いわゆる掃気効果を利用して、タービン５ｂの回転速度を高め、シリンダ内への充填効率を高めるためである。
【００２３】
この効果について図２を用いて具体的に説明する。図２は点火順序が１番気筒−３番気筒−４番気筒−２番気筒である直列４気筒内燃機関の行程順序について示したものである。図中の斜線を付した部分はバルブオーバーラップ期間を示す。
【００２４】
バルブオーバーラップ期間を設けると、排気マニホールド３では排気行程中の気筒から排出される排気ガスと、そのとき吸気行程中の他の気筒の掃気ガスが合流する。例えば、図２の３番気筒の排気行程＃３ｅｘで排気される排気ガスと、そのとき吸気行程となる１番気筒のバルブオーバーラップ期間＃１ｓｃに掃気される掃気ガスが合流する。
【００２５】
このため、バルブオーバーラップ期間が無い場合、つまり掃気が無い場合に比べてタービン５ｂに導入されるガス量が増加する。これによりタービン５ｂの回転速度が高まり、コンプレッサ５ａによる過給圧が高まる。また、掃気によって新気ガスとともにシリンダ内の残留ガスも排出されるので、結果的にシリンダの新気の充填効率が高まる。
【００２６】
さらに、本実施形態では、後述する空燃比制御によって、排気マニホールド３で合流した排気ガスと掃気ガスの混合気を、タービン５ｂに流入する前に燃焼させることで、タービン５ｂを回転させるためのエネルギをより増大させる。
【００２７】
このために、あるシリンダから排気行程中に排気される排気ガスと、同時期に吸気行程となるシリンダからバルブオーバーラップ期間中に掃気される掃気ガスの混合気が、タービン５ｂに流入する前に燃焼し易い空燃比となるように燃料噴射量を設定する。すなわち、シリンダ内の空燃比を理論空燃比よりもリッチな空燃比にして、未燃炭化水素を含んだ排気ガスを排出させ、この排気ガスと掃気ガスとが混合することで燃焼し易い空燃比、例えば理論空燃比になるような燃料噴射量を設定する。
【００２８】
例えば、図２の３番気筒の吸気行程＃３ｉｎで吸入した空気量に対する燃料噴射量を設定する場合は、３番気筒の排気行程＃３ｅｘで排出される排気ガスと１番気筒のバルブオーバーラップ期間＃１ｓｃで排出される掃気ガスの混合気が燃焼し易い空燃比となるような燃料噴射量を設定する。つまり、３番気筒のシリンダ内の空燃比に着目すると、理論空燃比よりリッチな空燃比となり、排気行程では未燃燃料を含む排気ガスが排出される。
【００２９】
上記のように設定した燃料噴射量は、１行程あたり１回の燃料噴射によってすべて噴射する。燃料噴射時期は、吸気行程中のバルブオーバーラップ期間終了後、つまり排気弁閉弁後、又は圧縮行程中とする。なお、空燃比制御の詳細については後述する。
【００３０】
このように噴射すると、排気ガス中の未燃炭化水素となる燃料は、膨張行程中の燃焼熱を受けることで炭素鎖の長い高級炭化水素から炭素鎖が短い低級炭化水素へと変化して、より燃焼性が高くなる。また、シリンダ内の空燃比が理論空燃比よりリッチになることで、出力空燃比に近づくので、理論空燃比で運転する場合より出力を向上させ得る。さらに、燃料がシリンダ内で気化する際の気化潜熱によってシリンダ内が冷却されるので、充填効率の向上に寄与する。
【００３１】
図３は、シリンダ内に噴射する燃料噴射量を設定する演算内容を示すブロック図である。なお、このブロック図には、設定した燃料噴射量を用いて行う、シリンダ内及び排気マニホールド３内の空燃比の推定も含まれている。
【００３２】
排気管内空燃比目標値設定部３０１は、排気マニホールド３内の目標空燃比である排気管内目標空燃比を設定する。目標空燃比は、排気ガスと掃気ガスの混合気が燃焼し易い空燃比、例えば理論空燃比に設定する。
【００３３】
なお、理論空燃比に限らず、例えば、排気ガスと掃気ガスの混合気が、排気性能の要求値を満足するような、つまり排気触媒１８の転換効率を低下させない程度の空燃比になるように設定してもよい。この場合でも、掃気効果によりシリンダ内の充填効率は向上して発生トルクは増大し、かつ排気性能の低下を防止できる。
【００３４】
シリンダ内トラップ吸入空気量推定部３０２は、エアフローメータ８で検出した吸入空気量と、掃気率とに基づいて、吸入空気量のうち吸気行程終了時点でシリンダ内に閉じ込められている量であるシリンダ内トラップ吸入空気量を推定する。なお、掃気率は新気量をシリンダ内ガス量で除した値をいう。掃気率の算出方法については後述する。
【００３５】
シリンダ掃気ガス量推定部３０３は、シリンダ内トラップ吸入空気量を算出した気筒が排気行程のときに吸気行程となる気筒について、吸入空気量のうちバルブオーバーラップ期間中に排気マニホールド３へ流出する量であるシリンダ掃気ガス量を掃気率と吸入空気量に基づいて推定する。
【００３６】
シリンダ内燃料噴射量設定部３０４では、排気管内目標空燃比、シリンダ内トラップ吸入空気量、シリンダ掃気ガス量に基づいて、シリンダ内への燃料噴射量を決定する。
【００３７】
排気ガスは、排気マニホールド３で掃気ガスと混合すると、掃気ガスに希釈される分だけ空燃比がリーン側に変化する。例えば、シリンダ内トラップ吸入空気量に対して理論空燃比となるように燃料噴射量を設定すると、排気の空燃比は理論空燃比となり、排気マニホールド３で掃気ガスと混合すると理論空燃比よりリーンになる。
【００３８】
そこで、シリンダ内トラップ吸入空気量及びシリンダ掃気ガス量に基づいて、掃気ガスに希釈されたときに排気管内目標空燃比となるのに必要な炭化水素量を求め、この炭化水素量を発生させるのに必要な燃料噴射量を、シリンダ内トラップ吸入空気量に基づいて設定する。
【００３９】
シリンダ内空燃比推定部３０５では、燃料噴射量とシリンダ内トラップ吸入空気量からシリンダ内の空燃比を推定する。排気管内空燃比推定部３０６では、シリンダ内空燃比とシリンダ掃気ガス量から排気マニホールド３内の空燃比を推定する。これらの推定値と排気管内目標空燃比とに基づいて、シリンダ内燃料噴射量をフィードバック制御すれば、排気マニホールド３内の空燃比をより高精度で制御することができる。
【００４０】
図４は、シリンダ内空燃比推定部３０５で求めたシリンダ内空燃比推定値に基づいてバルブオーバーラップ期間を低減するか否かを判断する制御のブロック図である。掃気量が増大するほど、排気管内空燃比を所望の空燃比にするために必要な燃料量も増大し、これに伴ってシリンダ内の空燃比もよりリッチ化する。そこで、図３の演算によって求められた燃料噴射量としたときにシリンダ内の空燃比が燃焼限界を超えてしまう場合には、バルブオーバーラップ期間を短くして掃気量を減少させるために、図４の演算を行う。
【００４１】
シリンダ内空燃比許容値算出部４０１では、燃焼限界等の条件に基づいて求まるシリンダ内空燃比許容値を設定する。シリンダ内空燃比推定部４０２は、図３のシリンダ内空燃比推定部３０５で推定したシリンダ内空燃比を読み込む。
【００４２】
判定部４０３では、シリンダ内空燃比許容値とシリンダ内空燃比推定値を比較し、シリンダ内空燃比推定値の方がリッチであると判定したら、可変動弁機構１４の制御部であるＶＴＣ制御部４０４にバルブオーバーラップ期間の低減要求を行う。これにより、バルブオーバーラップ期間が低減されて、掃気量が減少する。つまり、性能要求を満足するための掃気量の上限値が定まることになる。
【００４３】
上述した図３、図４の制御により、排気マニホールド３内の排気ガスと掃気ガスとの混合気の空燃比を燃焼し易い空燃比に制御し、かつシリンダ内の燃焼安定性を確保することができる。
【００４４】
次に、図３でシリンダ内トラップ吸入空気量及びシリンダ掃気ガス量の推定に用いる掃気率について説明する。
【００４５】
図５は掃気率を算出するための演算内容を示すブロック図である。
【００４６】
掃気率は、定常運転時であればエンジン回転速度や吸入空気量から求まる発熱量や排気マニホールド３を通過するガス量に基づいて定まる。しかし、過渡運転時には排気マニホールド３を流れるガス量の増加速度に対してタービン５ｂの回転速度上昇が遅れるため、圧損が生じる。その結果、過渡運転時における排気圧力は、同一吸入空気量、同一エンジン回転速度の定常運転時における排気圧力に比べて高くなる。そこで、図５の演算では、定常運転時の排気圧力を、過渡運転時における排気圧力変動量（以下、過渡圧力変動という）の増減分で補正して掃気率を算出する。
【００４７】
コレクタ圧力読込部５０１で、吸気マニホールド２内の圧力をコレクタ圧力として読み込む。排気圧力読込部５０２では後述する演算により求めた排気圧を読み込む。過渡圧力変動読込部５０３で、後述する演算により求めた過渡排気圧力変動量を読み込む。
【００４８】
排気バルブ前後差圧算出部５０４では、コレクタ圧力から排気圧力を減算し、それに過渡圧力変動を加算して排気バルブ前後差圧を算出する。これにより過渡排気圧力変動量を含んだ排気バルブ前後差圧が算出される。
【００４９】
一方、エンジン回転速度読込部５０５でクランク角センサの検出値に基づいてエンジン回転速度を読み込み、オーバーラップ量読込部５０６で後述する演算で求めたバルブオーバーラップ量を読み込む。
【００５０】
そして、掃気率演算部５０７で、エンジン回転速度、バルブオーバーラップ量、及び排気バルブ前後差圧に基づいて予め設定したマップを用いて掃気率を求め、その演算結果を掃気率設定部５０８で掃気率として読み込む。ここで用いるマップは、図５に示すように、縦軸が排気バルブ前後差圧、横軸がバルブオーバーラップ量となっており、コントロールユニット１２はこのマップをエンジン回転速度ごとに複数記憶している。
【００５１】
図６は、排気圧力読み込む部５０２で読み込む排気圧力を求めるための演算内容を示すブロック図である。排気圧力は、大気圧や排気温度の影響を大きく受けるので、これらに基づく補正を行うことで排気圧力の推定精度を高め、ひいては掃気率の推定精度を高める。具体的には、次のような演算を行う。
【００５２】
排気温度読込部６０１で排気温度センサ１７の検出値を読み込み、吸入空気量読込部６０２でエアフローメータ８の検出値を読み込む。基準排気圧力算出部６０３で、これら読み込んだ値に基づいて、予め作成しておいたマップを用いて基準となる排気圧力を算出する。これにより吸入空気量及び排気温度に応じた排気圧力を基準値とすることができる。
【００５３】
一方、基準大気圧読込部６０４で、基準排気圧を算出したときの大気圧センサ１６の検出値を読み込む。さらに、大気圧読込部６０５で、大気圧センサ１６の現在の検出値を読み込む。そして、大気圧補正部６０６で、基準排気圧力から基準大気圧を減算した値と大気圧との和を演算し、演算結果を排気圧力算出部６０７で排気圧力として読み込む。これにより、大気圧に応じた排気圧力を推定することができる。
【００５４】
図７は、過渡圧力変動読み込み部で読み込む過渡排気圧力変動量を算出するためのブロック図である。
【００５５】
ここでは、過渡運転か否かを判定するトリガーとして吸入空気量及びスロットルバルブ開度の変化量を用いて、過渡排気圧力変動量を算出する。
【００５６】
吸入空気量読込部７０１でエアフローメータ８の検出値を読み込む。スロットルバルブ開度読込部７０２でスロットル開度を読み込む。スロットルバルブ開度は、スロットルポジションセンサで検出してもよいし、電子制御スロットルの場合にはスロットルバルブを駆動するアクチュエータへの指示値を読み込んでもよい。
【００５７】
吸気変化速度算出部７０３では、吸入空気量読込部７０１で読み込んだ吸入空気量に基づいて吸入空気量の変化速度である吸気変化速度△ＱＡを算出する。吸気変化速度補正値演算部７１４では下式（１）により吸気変化速度△ＱＡに一次遅れを与えた値を吸気変化速度補正値ＱＭｖとして算出する。
【００５８】
ＱＭｖ＝△ＱＡ×ｋ＋（１−ｋ）×ＱＭｖｚ      ・・・（１）
過渡排気圧変化量推定部７１１で、上記のようにして求めた吸気変化速度補正値ＱＭｖに基づいて、予め作成したマップから基準となる過渡排気圧を算出し、算出結果をスイッチ部７１２に入力する。
【００５９】
吸気量変化量算出部７０４で吸入空気量の変化量を算出し、第１判定部７０８で、第１過渡判定クライテリア設定部７０５に予め格納しておいた第１過渡判定クライテリアと吸気量変化量とを比較する。
【００６０】
スロットルバルブ開度変化量算出部７０６でスロットルバルブ開度の変化量を算出し、第２判定部７０９で、第２過渡判定クライテリア設定部７０７に予め格納しておいた第２過渡判定クライテリアとスロットルバルブ開度変化量とを比較する。
【００６１】
第３判定部７１０は、第１判定部７０８及び第２判定部７０９の判定結果を読み込む。そして、第１判定部７０８で吸気量変化量が第１過渡判定クライテリアより大きい、または第２判定部７０９でスロットルバルブ開度変化量が第１過渡判定クライテリアより大きい、の少なくとも一方が成立していれば、過渡運転時であると判定する。この判定結果はスイッチ部７１２に入力され、スイッチ部７１２は過渡運転時である場合は過渡排気圧力変動を付加する側へ切り替わり、過渡運転時でない場合は過渡排気圧力変動量を付加しない側へ切り替る。過渡排気圧力変動決定部７１３では、スイッチ部７１２から出力された値を過渡排気圧力変動量として設定する。
【００６２】
図８は、可変動弁機構１４の変換角を決定するための制御ルーチンを示すフローチャートである。この制御の途中でバルブオーバーラップ期間を算出する。
【００６３】
ステップＳ８０１で、内燃機関１の運転状態、例えば、コレクタ圧、エンジン回転速度、吸気温度、大気圧、基本噴射パルス等を読み込む。基本噴射パルスは内燃機関１の出力に相関のある値である。
【００６４】
ステップＳ８０２で、上記運転状態から求まる掃気量上限値を算出する。ここで、掃気量上限値の求め方の一例について説明する。
【００６５】
図９は、触媒温度に基づく掃気量上限値算出のためのブロック図である。
【００６６】
掃気分を含めた排気マニホールド３内の空燃比が理論空燃比となるように燃料噴射をして、排気マニホールド３内で排気ガスと掃気ガスの混合気を燃焼させる場合には、燃焼エネルギが大きいほど過給機５の効率が高まる。また、掃気率が高いほど筒内の新気の割合が高くなり充填効率が高まる。つまり、内燃機関１に対する出力向上等の性能要求を満足するためには、掃気量はできるだけ大きい方がよい。ただし、図４に示したように、燃焼限界等の条件によってバルブオーバーラップ期間が制限されることから、掃気量の上限も制限される。
【００６７】
一方、掃気量が多くなるほど、排気マニホールド３内での燃焼によって排気触媒１８がより高温まで加熱される。排気触媒１８は、温度が過剰に上昇すると排気浄化性能が劣化するので、排気触媒１８の温度上昇を抑制するために掃気量の上限値を設定する必要がある。
【００６８】
そこで、掃気量を、排気触媒１８の劣化を招かない程度に制限し、これを掃気量上限値とする。
【００６９】
なお、運転状態としては、コレクタ圧Ｂｏｏｓｔ、エンジン回転速度ＮＥ、基本噴射パルスＴＰ、吸気温度ＴＡＮ、及び大気圧ＰＡＭＢを読み込む。
【００７０】
触媒上限温度算出部９０１は、運転状態に応じて定まる排気触媒１８の上限温度である触媒上限温度を算出する。
【００７１】
同様に、掃気無し触媒上限温度算出部９０２で掃気が無い通常運転状態、つまり掃気ガスと排気ガスとの混合気を燃焼させない運転状態での排気触媒１８の推定温度である掃気無し触媒推定温度を算出する。
【００７２】
掃気時触媒昇温許容値算出部９０３は、触媒上限温度と掃気無し触媒推定温度の差である掃気時触媒昇温許容値を算出する。この掃気時触媒昇温許容値分だけ、掃気時の排気触媒１８の昇温を許容し得る。
【００７３】
触媒温度許容掃気量算出部９０５では、掃気時触媒昇温許容値と、シリンダ内空燃比算出部９０４で求めた内燃機関１のシリンダ内の空燃比とから、予め作成したマップを用いて排気触媒１８の温度から定まる掃気量上限値である触媒温度許容掃気量を算出する。ここで用いるマップは、シリンダ内空燃比ごとに掃気量と触媒昇温量との関係を示すものである。
【００７４】
そして、算出結果を触媒温度許容掃気量決定部９０６で触媒温度許容掃気量を掃気量上限値として設定する。
【００７５】
上記のようにエンジン回転速度等といった内燃機関１の運転状態や、吸気温度や大気圧といった内燃機関１が運転する環境に基づいて掃気量上限値を決定する場合には、掃気無し触媒上限温度算出部９０２の算出結果が運転状態や環境に応じて異なる。その結果、触媒温度許容掃気量も運転状態や環境に応じた値となる。
【００７６】
また、図９の演算にあたり、入力するエンジン回転速度等として、次サイクルの状態を推測した値を用いれば、次サイクルにおける掃気量上限値を求めることができる。したがって、フィードフォワード制御が要求されるような過渡運転時の制御であっても、同様に所定時間後の掃気量上限値を算出することで対応することができる。
【００７７】
図８の説明に戻る。
【００７８】
図８のステップＳ８０２では、触媒温度許容掃気量の他に、図４の演算により定まる性能要求を満足する掃気量上限値も算出する。そして、いずれか小さい方を掃気量上限値として設定する。図８のステップＳ８０３では、ステップＳ８０２で求めた掃気量に基づいてバルブオーバーラップ期間を決定する。適用する内燃機関の仕様に応じて、掃気量とバルブオーバーラップ期間を予め求めておけば、掃気量に基づいて容易にバルブオーバーラップ期間を設定することができる。そして、図５のオーバーラップ量読込部５０６では、この値を読み込む。
【００７９】
ステップＳ８０４では、ステップＳ８０３で決定したバルブオーバーラップ期間を実現するための可変動弁機構１４の変換角を決定する。適用する内燃機関１の吸気カム、排気カムのプロフィール等に応じて、バルブオーバーラップ期間と変換角との関係を予め求めておけば、バルブオーバーラップ期間に応じて容易に変換角を決定することができる。
【００８０】
上記にようにして図３の演算により燃料噴射量を設定すれば、排気マニホールド３内で混合した掃気ガスと排気ガスの混合気を燃焼し易い空燃比に制御することができる。
【００８１】
なお、本実施形態は、内燃機関１が筒内直接噴射式の場合について説明したが、これに限られるわけではなく、各シリンダに連通する吸気ポート内に燃料を噴射する、いわゆるポート噴射式内燃機関にも適用できる。ポート噴射式内燃機関の場合には、上記燃料噴射をバルブオーバーラップ期間終了後、つまり排気弁閉弁後に行うようにすれば、噴射された燃料が掃気ガスとともに排気マニホールド３に排出されることがないので、上述した燃料噴射量の設定方法をそのまま適用することができる。
【００８２】
また、図３では、シリンダ掃気ガス量推定部３０３において、シリンダ内トラップ吸入空気量を算出した気筒が排気行程のときに吸気行程となる気筒についてシリンダ掃気ガス量を推定している。これは、過渡運転状態にも対応するためである。しかし、定常運転の場合には、シリンダ内トラップ吸入空気量及びシリンダ掃気ガス量はいずれも各気筒とも同じなので、シリンダ内トラップ吸入空気量を算出した気筒と同じ気筒のシリンダ掃気ガス量を用いても燃料噴射量を決定できる。
【００８３】
以上により本実施形態では、次の効果が得られる。
【００８４】
（１）コントロールユニット１２は、内燃機関１に対する性能要求を満足させるための掃気量を設定し、この掃気量に応じてバルブオーバーラップ期間の長さを制御するので、掃気によって筒内の新気の割合、つまり充填効率が向上する。
【００８５】
（２）コントロールユニット１２は、排気触媒１８の推定温度に基づいて掃気量上限値を制限するので、掃気ガスを排気マニホールド３内で排気ガスと混合させて燃焼させたときに、排気触媒１８の温度が過剰に上昇することを防止できる。
【００８６】
（３）コントロールユニット１２は、内燃機関１の運転状態及びおかれた環境に基づいて掃気量上限値を制限するので、適切な掃気量上限値を設定できる。すなわち、運転状態及びおかれた環境が異なれば、吸入空気量や排気温度等も異なり、これらに基づいて算出する触媒昇温許容掃気量も異なるが、制御によれば適切な掃気量上限値を設定することができる。
【００８７】
例えば、気圧が低い場合にはターボ式過給機５は回転し易くなるので、気圧が高い状態と比べると、掃気量が同一でも回転速度が上昇し易く、過回転するおそれがある。この場合、ウエストゲート等により排気の一部をバイパスさせれば過回転を抑制して過給機５を保護できるが、これでは掃気ガスと排気ガスの燃焼によるエネルギが無駄になる。そこで、内燃機関１のおかれた環境に基づいて掃気量上限値を設定すれば、過回転とならないように掃気量を設定することができ、エネルギを無駄にすることなく過給機５を保護できる。
【００８８】
（４）コントロールユニット１２は、運転状態に基づいて推定する掃気未実行の状態と、筒内の目標空燃比に基づいて推定する掃気実行後の状態と、に基づいて掃気量上限値を設定する。つまり、吸気温度等の運転状態により定まる排気マニホールド３内の温度と、掃気ガスと排気ガスの混合ガスを燃焼させることによる温度上昇分と、に基づいて触媒温度許容掃気量を設定するので、適切な掃気量上限値を設定することができる。
【００８９】
（５）コントロールユニット１２は、運転状態推定値に基づいて推定する所定時間経過後、例えば１サイクル後、の掃気未実行の状態と、筒内の目標空燃比に基づいて推定する掃気実行後の状態と、に基づいて掃気量の上限値を設定する。つまり、エンジン回転速度や負荷等として次サイクルの状態を推定した値を入力することで、次サイクルの掃気量上限値を設定することができる。加速時のようにフィードフォワード制御が要求される過渡運転時にも、適切な掃気量上限値を設定することができる。
【００９０】
（６）コントロールユニット１２は、複数の条件に基づいて複数の掃気量上限値を算出した場合には、最も小さい掃気量上限値を選択するので、システムの性能低下を確実に防止できる。
（第２実施形態）
次に第２実施形態について説明する。
【００９１】
本実施形態を適用するシステムは第１実施形態と同様である。制御についても基本的には同様であるが、ＮＯｘ生成量に基づいて掃気量上限値を算出する点で相違する。そこで、掃気量上限値の算出方法について説明する。
【００９２】
筒内直接噴射式内燃機関の場合には、吸気通路から排気通路へ吹き抜ける掃気ガスに燃料が含まれていないため、排気触媒１８へ流入するガスの空燃比は、掃気量が増加するほどリーン側にずれる。排気触媒１８内が理論空燃比よりもリーン化すると、ＮＯｘ転換効率が悪化し、流入するＮＯｘを処理しきれなくなって排気性能が悪化するおそれがある。
【００９３】
そこで、排気触媒１８で処理しきれないほどのＮＯｘが発生しないように、掃気量上限値を設定する。
【００９４】
図１０は、本実施形態でコントロールユニット１２が実行する、ＮＯｘ生成量に基づいて掃気量上限値を設定するための演算内容を示す内容を示すブロック図である。
【００９５】
ＮＯｘ生成量算出部１００１で、エンジン回転速度ＮＥ及び基本噴射パルスＴＰを読み込み、これらに基づいてマップ検索することで、当該運転状態において許容し得るＮＯｘ生成量を算出する。ここでいうＮＯｘ生成量は内燃機関１から排出される量をいう。
【００９６】
ＮＯｘ生成量算出部１００１で用いるマップの縦軸はコレクタ圧Ｂｏｏｓｔになっている。基本噴射パルスＴＰはシリンダ吸入空気質量に応じて定まり、コレクタ圧Ｂｏｏｓｔと相関関係がある。そこで、マップ検索する際には、読み込んだ基本噴射パルスＴＰを上記相関関係に基づいてコレクタ圧Ｂｏｏｓｔに変換する。なお、コレクタ圧Ｂｏｏｓｔを直接読み込んでも構わない。
【００９７】
シリンダ内空燃比読込部１００２で、図３のシリンダ内空燃比推定部３０５で推定したシリンダ内空燃比を読み込む。
【００９８】
掃気量算出部１００３で、シリンダ内空燃比毎に予め作成しておいた掃気量とＮＯｘ生成量との関係を示すマップを、ＮＯｘ生成量算出部１００１で算出したＮＯｘ生成量で検索することで当該運転状態において許容し得る掃気量を算出する。この掃気量をＮＯｘ発生許容掃気量とする。
【００９９】
ＮＯｘ発生許容掃気量設定部１００４では、ＮＯｘ発生許容掃気量を掃気量上限値として設定する。
【０１００】
上記のように掃気量上限値を設定することで、排気マニホールド３内で掃気ガスと排気ガスの混合気を燃焼させる場合の、排気触媒１８のＮＯｘ転換効率悪化を防止できる。
【０１０１】
また、上記のようにエンジン回転速度等といった内燃機関１の運転状態や、吸気温度や大気圧といった内燃機関１が運転する環境に基づいて掃気量上限値を決定すると、ＮＯｘ生成量算出部１００１の算出結果が運転状態や環境に応じて異なる。その結果、ＮＯｘ発生許容掃気量も運転状態や環境に応じた値となる。
【０１０２】
以上により本実施形態では、第１実施形態と同様の効果に加え、さらに次の効果が得られる。
【０１０３】
（７）コントロールユニット１２は、内燃機関１から排気マニホールド３へのＮＯｘ排出量の推定値に基づいて掃気量上限値を制限するので、掃気することによる排気触媒１８のＮＯｘ転換効率の低下を防止できる。
（第３実施形態）
次に第３実施形態について説明する。
【０１０４】
本実施形態は、第１実施形態等と同様のシステムにおいて、加速時のようにトルク要求が急激に増加する場合の制御に関する。基本的な制御は第１実施形態と同様であるが、図６のステップＳ６０２で実行する掃気量上限値の設定が異なる。以下、掃気量上限値の設定について説明する。
【０１０５】
図１１は、掃気量上限値を設定するための演算の内容を示すブロック図である。ここでは、原則として、触媒温度許容掃気量又はＮＯｘ発生許容掃気量の小さい方の掃気量を掃気量上限値とする。ただし、急加速時のように内燃機関１に対するトルク要求値が急激に大きくなる場合には、図１に示した内燃機関１や過給機５といったシステムに悪影響を与えない範囲で、トルク要求を満足させることを優先した、より大きい掃気量上限値に切り替える。
【０１０６】
このように掃気量上限値を大きくすると、排気マニホールド３内で掃気ガスと排気ガスの混合気が燃焼したときのエネルギが大きくなり、その結果、タービン５ｂの回転上昇速度が高まるので、内燃機関１のトルク応答性が高まる。
【０１０７】
図１１の演算ブロック１１０１−１１０４及び演算ブロック１０５−１１０８は、それぞれ図９、図１０と同じ内容なので説明を省略する。
【０１０８】
最小値選択部１１０９は、触媒温度許容掃気量又はＮＯｘ発生許容掃気量の小さい方を選択し、その結果をスイッチ１１１３に入力する。
【０１０９】
トルク変化速度判定部１１１０は、内燃機関１に対するトルク要求値の変化速度が予め設定した閾値を超えたか否かを、例えばアクセル開度変化量等に基づいて判定する。閾値は、触媒温度やＮＯｘ生成量よりもトルク応答を優先させる必要があるか否かを判定するための値であり、本制御を適用する車種毎に予め設定しておく。
【０１１０】
トルク要求値変化速度が閾値を超えていた場合には、タイマ１１１１を作動させて、予め設定したタイマ作動期間中だけスイッチ１１１３を後述するトルクピックアップ許容掃気量側に切り替える。タイマ作動期間は任意に設定することができるが、システムへの悪影響を防止するため、後述するトルクピックアップ許容掃気量が大きいほど短く設定する。
【０１１１】
トルクピックアップ許容掃気量設定部１１１２では、内燃機関１の運転状態及び運転環境に基づいて、トルク応答を優先させる場合の掃気量上限値であるトルクピックアップ許容掃気量を設定する。
【０１１２】
トルクピックアップ許容掃気量は、タイマ１１１３が作動している時間内であれば、その掃気量を維持しても排気触媒１８や過給機５等の性能低下を招かない値を設定する。すなわち、通常の掃気量上限値が定常的に作動しても性能低下を招かないレベルであるのに対し、トルクピックアップ許容掃気量は、一時的なら許容し得るレベルである。
【０１１３】
具体的には、内燃機関１や排気触媒１８の仕様、排気経路長等に応じて変わるものなので、運転状態及び運転環境毎のトルクピックアップ許容掃気量を予めマップ化する等しておき、これを検索する。例えば、触媒温度許容掃気量及びＮＯｘ発生許容掃気量よりも大きく、かつ、燃焼安定度を確保できる程度の値に設定する。
【０１１４】
掃気量上限値設定部１１１４は、スイッチ１１１３で選択された掃気量を掃気量上限値として設定する。
【０１１５】
上述したように、コントロールユニット１２は、トルク要求等といった内燃機関１への性能要求、触媒温度やＮＯｘ発生量等といった制約条件のそれぞれに基づいた掃気量上限値を算出する。そして、急加速時等のようにトルク要求値変化速度が閾値を超えている場合には、これら複数の掃気量上限値の中からトルクピックアップ許容掃気量を選択し、それ以外の場合には、制約条件に基づく掃気量上限値の小さい方を選択する。
【０１１６】
定常運転状態であれば、制約条件に基づく掃気量上限値の小さい方が選択されるので、システムに影響を与えない範囲で最も大きい掃気量が設定されることになる。
【０１１７】
一方、加速時のようにトルク要求の急激な増大が有った場合には、一定期間だけ、制約条件に基づく掃気量よりも大きな掃気量上限値が設定される。つまり、掃気量の上限値が一定期間だけ引き上げる。これにより、タービン５ｂへ供給するエネルギが増大し、その結果トルク応答性が高まる。
【０１１８】
以上により本実施形態では、第１実施形態と同様の効果に加え、さらに次の効果が得られる。
【０１１９】
（８）トルク要求が急激に増加した場合は、コントロールユニット１２は掃気量を増大させる。これにより、排気マニホールド３内での燃焼エネルギ、つまりタービン５へ供給するエネルギが増大するので、内燃機関１のトルク応答が向上する。
【０１２０】
（９）トルク要求が急激に増加した場合は、コントロールユニット１２は一定期間だけ掃気量上限値を緩和するので、トルク応答を向上させつつ、システムの性能低下を防止できる。
【０１２１】
なお、本発明は上記の実施の形態に限定されるわけではなく、特許請求の範囲に記載の技術的思想の範囲内で様々な変更を成し得ることは言うまでもない。
【符号の説明】
【０１２２】
１    内燃機関
２    吸気マニホールド
３    排気マニホールド
４    スロットルチャンバ
５    過給機
６    吸気通路
７    排気通路
８    エアフローメータ
９    リサーキュレーションバルブ
１０  リサーキュレーション通路
１２  コントロールユニット
１３  アクセル開度センサ
１４  可変動弁機構
１５  燃料噴射弁
１６  大気圧センサ
１７  排気温度センサ
１８  排気触媒
【図１】
2012163047.tif 000003
【図２】
2012163047.tif 000004
【図３】
2012163047.tif 000005
【図４】
2012163047.tif 000006
【図５】
2012163047.tif 000007
【図６】
2012163047.tif 000008
【図７】
2012163047.tif 000009
【図８】
2012163047.tif 000010
【図９】
2012163047.tif 000011
【図１０】
2012163047.tif 000012
【図１１】
2012163047.tif 000013